【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
撮影光学系を介して被写体光を撮像素子により撮像する撮影装置において、
上記撮影光学系の光路に配置され、絞り開口の大きさを多段階に調節可能な絞り機構部と、
上記撮影光学系の光路に選択的に出し入れ可能なＮＤフィルタ部と、
を有し、さらに、
撮影モードを設定する撮影モード設定部、または上記撮像素子の撮像出力に基づいて、被写体シーンを認識するシーン認識部のいずれかを１つを少なくとも有し、
上記撮像素子の出力に基づいてライブビュー表示、またはＡＦ動作のいずれか１つを行う際には、上記絞り機機構部の絞りを開放とし、上記ＮＤフィルタ部によって光量を調節し、上記撮影モード設定部によって設定された上記撮影モードに応じて、または上記シーン認識部によって認識されたシーンに応じて、上記絞り機構部と上記ＮＤフィルタ部を制御して撮影動作を行うことを特徴とする撮影装置。
【請求項２】
上記撮影モード設定部または上記シーン認識部により、風景の撮影に適した撮影モードである風景モードが設定された場合は、上記ＮＤフィルタ部を撮影光学系の光路から出し、上記絞り機構部の絞りを絞って撮影動作を行うことを特徴とする請求項１に記載の撮影装置。
【請求項３】
上記撮影モード設定部または上記シーン認識部により、人物の撮影に適した撮影モードであるポートレートモードが設定された場合は、上記絞り機構部の絞りを開放とし、上記ＮＤフィルタ部を撮影光学系の光路に入れた状態で撮影動作を行うことを特徴とする請求項１に記載の撮影装置。
【請求項４】
撮影光学系によって結像される被写体像を受光し、画像信号を出力する撮像素子と、
上記撮影光学系の光路に配置され、絞り口径の大きさを変更可能な絞り機構部と、
上記撮影光学系の光路において、上記被写体光の透過光量を変化させる透過光量変更部と、
上記画像信号に基づいて上記撮影光学系のピント調節を行うＡＦ部と、
を有し、
上記画像信号に基づいて上記ピント調節を行う際には、上記透過光量変更部によって透過光量を調節し、上記撮像素子の出力に基づいて、上記絞り機構と上記透過光量変更部を制御して撮影動作を行うことを特徴とする撮影装置。
【請求項５】
さらに、撮影モードを設定する撮影モード設定部を有し、
上記撮影モード設定部によって設定された上記撮影モードに応じて、上記絞り機構と上記透過光量変更部を制御して撮影動作を行うことを特徴とする請求項４に記載の撮影装置。
【請求項６】
さらに、ライブビュー表示、またはＡＦ動作のいずれか１つを行う際に、上記撮像素子の上記画像信号に基づいて、被写体シーンを認識するシーン認識部を有し、
上記シーン認識部によって認識されたシーンに応じて、上記絞り機構部と上記透過光量変更部を制御して撮影動作を行うことを特徴とする請求項４に記載の撮影装置。
【請求項７】
上記撮影モード設定部または上記シーン認識部により、風景の撮影に適した撮影モードである風景モードが設定された場合は、上記透過光量変更部の透過率を変更し被写体光の光量を透過する状態とし、上記絞り機構の絞りを絞って撮影動作を行うことを特徴とする請求項５又は６に記載の撮影装置。
【請求項８】
上記撮影モード設定部または上記シーン認識部により、人物の撮影に適した撮影モードであるポートレートモードが設定された場合は、上記絞り機構部の絞りを開放とし、上記透過光量変更部の透過率を変更し被写体の光量を減光する状態で撮影動作を行うことを特徴とする請求項５又は６に記載の撮影装置。
【請求項９】
撮影光学系の光路中に配置された多段絞りと、上記光路中に挿脱可能なＮＤフィルタと、上記光路中に撮像素子を配置した撮影装置における撮影方法において、
上記ＮＤフィルタを上記光路中に挿入すると共に上記多段絞りを開放状態とし、
上記撮像素子からの画像データに基づいてコントラストＡＦによってピント調節を行うと共に、撮影シーンを認識し、
上記撮影シーンに基づいて上記ＮＤフィルタを上記光路中から出すか否かを決定すると共に上記多段絞りの絞り値を制御する、
ことを特徴とする撮影方法。
【手続補正２】
【補正対象書類名】明細書
【補正対象項目名】０００８
【補正方法】変更
【補正の内容】
【０００８】
上記目的を達成するため第１の発明に係わる撮影装置は、撮影光学系を介して被写体光を撮像素子により撮像する撮影装置において、上記撮影光学系の光路に配置され、絞り開口の大きさを多段階に調節可能な絞り機構部と、上記撮影光学系の光路に選択的に出し入れ可能なＮＤフィルタ部と、を有し、さらに、撮影モードを設定する撮影モード設定部、または上記撮像素子の撮像出力に基づいて、被写体シーンを認識するシーン認識部のいずれかを１つを少なくとも有し、上記撮像素子の出力に基づいてライブビュー表示、またはＡＦ動作のいずれか１つを行う際には、上記絞り機機構部の絞りを開放とし、上記ＮＤフィルタ部によって光量を調節し、上記撮影モード設定部によって設定された上記撮影モードに応じて、または上記シーン認識部によって認識されたシーンに応じて、上記絞り機構部と上記ＮＤフィルタ部を制御して撮影動作を行う。
【手続補正３】
【補正対象書類名】明細書
【補正対象項目名】００１１
【補正方法】変更
【補正の内容】
【００１１】
第４の発明に係わる撮影装置は、撮影光学系によって結像される被写体像を受光し、画像信号を出力する撮像素子と、上記撮影光学系の光路に配置され、絞り口径の大きさを変更可能な絞り機構部と、上記撮影光学系の光路において、上記被写体光の透過光量を変化させる透過光量変更部と、上記画像信号に基づいて上記撮影光学系のピント調節を行うＡＦ部と、を有し、上記画像信号に基づいて上記ピント調節を行う際には、上記透過光量変更部によって透過光量を調節し、上記撮像素子の出力に基づいて、上記絞り機構と上記透過光量変更部を制御して撮影動作を行う。
【手続補正４】
【補正対象書類名】明細書
【補正対象項目名】００１２
【補正方法】変更
【補正の内容】
【００１２】
第５の発明に係わる撮影装置は、上記第４の発明において、さらに、撮影モードを設定する撮影モード設定部を有し、上記撮影モード設定部によって設定された上記撮影モードに応じて、上記絞り機構と上記透過光量変更部を制御して撮影動作を行う。
第６の発明に係わる撮影装置は、上記第４の発明において、さらに、ライブビュー表示、またはＡＦ動作のいずれか１つを行う際に、上記撮像素子の上記画像信号に基づいて、被写体シーンを認識するシーン認識部を有し、上記シーン認識部によって認識されたシーンに応じて、上記絞り機構部と上記透過光量変更部を制御して撮影動作を行う。
第７の発明に係わる撮影装置は、上記第５又は６の発明において、上記撮影モード設定部または上記シーン認識部により、風景の撮影に適した撮影モードである風景モードが設定された場合は、上記透過光量変更部の透過率を変更し被写体光の光量を透過する状態とし、上記絞り機構の絞りを絞って撮影動作を行う。
第８の発明に係わる撮影装置は、上記第５又は６の発明において、上記撮影モード設定部または上記シーン認識部により、人物の撮影に適した撮影モードであるポートレートモードが設定された場合は、上記絞り機構部の絞りを開放とし、上記透過光量変更部の透過率を変更し被写体の光量を減光する状態で撮影動作を行う。
【手続補正５】
【補正対象書類名】明細書
【補正対象項目名】００１３
【補正方法】変更
【補正の内容】
【００１３】
第９の発明に係わる撮影方法は、撮影光学系の光路中に配置された多段絞りと、上記光路中に挿脱可能なＮＤフィルタと、上記光路中に撮像素子を配置した撮影装置における撮影方法において、上記ＮＤフィルタを上記光路中に挿入すると共に上記多段絞りを開放状態とし、上記撮像素子からの画像データに基づいてコントラストＡＦによってピント調節を行うと共に、撮影シーンを認識し、上記撮影シーンに基づいて上記ＮＤフィルタを上記光路中から出すか否かを決定すると共に上記多段絞りの絞り値を制御する。
【手続補正６】
【補正対象書類名】明細書
【補正対象項目名】００７５
【補正方法】変更
【補正の内容】
【００７５】
以上説明したように、本発明の一実施形態においては、撮像素子としてのＣＣＤ２１からの画像データに基づいてピント調節を行う際には、多段絞り３を開放としＮＤフィルタ２を撮影光学系の光路に挿入し、画像データを記録するための露光動作の際には、ＮＤフィルタ２を光路から出すか挿入したままにするかは、撮影シーン認識回路６０によって認識された撮影シーンに応じて変更するようにしている。このため、オートフォーカス動作のピント精度を向上させるとともに、露出条件に自由度を持たせた撮影を自動的に行うことが可能で、かつ撮影の表現範囲を制限することがない。